(57)【要約】【課題】  組み合わせが適切か否かを判断する組み合わせ認証の全自動化を図る。【解決手段】  識別情報自動取得部３と、組み合わせＩＤタグ検知部４と、組み合わせ確認部５とを備える。識別情報自動取得部３は、所定の監視領域Ｚに位置しているＩＤタグ２から通信によって当該ＩＤタグ２が保有している識別情報を自動取得する。組み合わせＩＤタグ検知部４は、監視領域Ｚにおいて所定の状態に接近したＩＤタグ２（２ａ，２ｂ）同士が有るか否かを監視する。組み合わせＩＤタグ検知部４が、接近したＩＤタグ２ａ，２ｂを検知した場合には、組み合わせ確認部５は、自動取得された識別情報に基づき、接近したＩＤタグ２ａ，２ｂの組み合わせが適切か否かを判断する。【選択図】      図１
2010204872.tif 000002
【特許請求の範囲】
【請求項１】
所定の監視領域内の通信機能付きＩＤ(identification)タグが保有している識別情報を前記ＩＤタグから通信によって自動取得する識別情報自動取得部と、
前記監視領域内において所定の状態に接近した前記ＩＤタグ同士が有ることを検知する組み合わせＩＤタグ検知部と、
前記自動取得された前記識別情報に基づき、前記接近した前記ＩＤタグ同士の組み合わせが適切か否かを判断する組み合わせ確認部と、
を備える認証装置。
【請求項２】
前記組み合わせＩＤタグ検知部は、前記監視領域内の前記ＩＤタグの位置を検出し、当該検出した位置情報に基づき、所定の距離以下に近接した前記ＩＤタグ同士の存在を検知することを特徴とする請求項１記載の認証装置。
【請求項３】
前記組み合わせが適切であると判断された場合に、その組み合わせに関する情報を所定の記憶部に書き込む認証結果履歴書き込み部を、さらに備えている請求項１又は請求項２記載の認証装置。
【請求項４】
前記判断の結果を報知する報知部を、さらに備えている請求項１又は請求項２又は請求項３記載の認証装置。
【請求項５】
前記組み合わせＩＤタグ検知部は、前記ＩＤタグ同士の接近状態が所定の時間、継続していることを検知した場合に、接近した前記ＩＤタグ同士が有ることを検知したとする請求項１乃至請求項４の何れか一つに記載の認証装置。
【請求項６】
識別情報を保有する通信機能付きＩＤタグと、
所定の監視領域内の前記ＩＤタグから通信によって前記識別情報を自動取得する識別情報自動取得部と、
前記監視領域内において所定の状態に接近した前記ＩＤタグ同士が有ることを検知する組み合わせＩＤタグ検知部と、
前記自動取得された前記識別情報に基づき、前記接近した前記ＩＤタグ同士の組み合わせが適切か否かを判断する組み合わせ確認部と、
を備える認証システム。
【請求項７】
前記組み合わせＩＤタグ検知部は、前記監視領域内の前記ＩＤタグの位置を検出し、当該検出した位置情報に基づき、所定の距離以下に近接した前記ＩＤタグ同士の存在を検知することを特徴とする請求項６記載の認証システム。
【請求項８】
前記組み合わせＩＤタグ検知部は、前記自動取得された前記識別情報の受信強度に基づいて前記ＩＤタグの位置を検出することを特徴とする請求項７記載の認証システム。
【請求項９】
前記監視領域内に互いに間隔を介して配置された複数の識別情報感知部を、さらに備え、
前記ＩＤタグは、前記識別情報の送信強度が異なる出力弱側送信部と出力強側通信部を含み、
前記出力強側通信部から出力される前記識別情報は、前記識別情報自動取得部により自動取得され、
前記出力弱側通信部から出力される前記識別情報は、前記識別情報感知部により自動取得され、
前記組み合わせＩＤタグ検知部は、前記識別情報を自動取得した前記識別情報感知部の予め与えられた位置情報に基づき、前記ＩＤタグの位置を検出することを特徴とする請求項７記載の認証システム。
【請求項１０】
前記組み合わせが適切であると判断された場合に、その組み合わせに関する情報を所定の記憶部に書き込む認証結果履歴書き込み部を、さらに備えている請求項６乃至請求項９の何れか一つに記載の認証システム。
【請求項１１】
前記判断の結果を報知する報知部を、さらに備えている請求項６乃至請求項１０の何れか一つに記載の認証システム。
【請求項１２】
前記組み合わせＩＤタグ検知部は、前記ＩＤタグ同士の接近状態が所定の時間、継続していることを検知した場合に、接近した前記ＩＤタグ同士が有ることを検知したとする請求項６乃至請求項１１の何れか一つに記載の認証システム。
【請求項１３】
所定の監視領域内の通信機能付きＩＤタグが保有している識別情報を前記ＩＤタグから通信によって自動取得し、
前記監視領域内において所定の状態に接近した前記ＩＤタグ同士が有るか否かを監視し、
接近した前記ＩＤタグ同士が有ることを検知した場合には、前記自動取得された識別情報に基づき、前記接近した前記ＩＤタグの組み合わせが適切か否かを判断する認証方法。
【請求項１４】
前記接近した前記ＩＤタグ同士は、所定の距離以下に近接した前記ＩＤタグ同士で有ることを特徴とする請求項１３記載の認証方法。
【請求項１５】
さらに、前記組み合わせが適切であると判断した場合に、その組み合わせに関する情報を所定の記憶部に書き込む請求項１３又は請求項１４記載の認証方法。
【請求項１６】
さらに、前記判断の結果を報知する請求項１３又は請求項１４又は請求項１５記載の認証方法。
【請求項１７】
さらに、接近した前記ＩＤタグ同士が有ることを検知した場合には、前記ＩＤタグの組み合わせが適切か否かを判断する前に、それらＩＤタグ同士の接近状態を監視し、
前記ＩＤタグの組み合わせが適切か否かの判断は、前記監視により、前記接近状態が所定の時間、継続していることを検知した後に行う請求項１３乃至請求項１６の何れか一つに記載の認証方法。
【請求項１８】
患者の識別情報を保有する通信機能付き患者ＩＤタグと、
薬の識別情報を保有する通信機能付き薬ＩＤタグと、
所定の監視領域内の前記患者ＩＤタグおよび前記薬ＩＤタグから通信によって前記識別情報を自動取得する識別情報自動取得部と、
前記監視領域内において所定の状態に接近した前記患者ＩＤタグと前記薬ＩＤタグが有ることを検知する組み合わせＩＤタグ検知部と、
前記自動取得された識別情報に基づき、前記接近した前記患者ＩＤタグと前記薬ＩＤタグの組み合わせが適切か否かを判断する組み合わせ確認部と、
を備えている投薬管理システム。
【請求項１９】
前記組み合わせが適切であると判断された場合に、前記患者への前記薬の投与の記録を投薬履歴として所定の記憶部に書き込む投薬履歴書き込み部を、さらに備えている請求項１８記載の投薬管理システム。
【請求項２０】
前記判断の結果を報知する報知部を、さらに備えている請求項１８又は請求項１９記載の投薬管理システム。
【請求項２１】
前記組み合わせＩＤタグ検知部は、前記患者ＩＤタグと前記薬ＩＤタグの接近状態が所定の時間、継続していることを検知した場合に、接近した前記患者ＩＤタグと前記薬ＩＤタグが有ることを検知したとする請求項１８又は請求項１９又は請求項２０記載の投薬管理システム。
【請求項２２】
所定の監視領域内における通信機能付き患者ＩＤタグが保有する患者の識別情報、および、前記監視領域内における通信機能付き薬ＩＤタグが保有する薬の識別情報を、通信によって自動取得し、
前記監視領域内において所定の状態に接近した前記患者ＩＤタグと前記薬ＩＤタグが有るか否かを監視し、
接近した前記患者ＩＤタグと前記薬ＩＤタグが有ることを検知した場合には、前記自動取得された識別情報に基づき、前記接近した前記患者ＩＤタグと前記薬ＩＤタグの組み合わせが適切か否かを判断する投薬管理方法。
【請求項２３】
さらに、前記組み合わせが適切であると判断した場合に、前記患者への前記薬の投与の記録を投薬履歴として所定の記憶部に書き込む請求項２２記載の投薬管理方法。
【請求項２４】
さらに、前記判断の結果を報知する請求項２２又は請求項２３記載の投薬管理方法。
【請求項２５】
さらに、接近した前記患者ＩＤタグと前記薬ＩＤタグが有ることを検知した場合には、前記患者ＩＤタグと前記薬ＩＤタグの組み合わせが適切か否かを判断する前に、それら前記患者ＩＤタグと前記薬ＩＤタグの接近状態を監視し、
前記患者ＩＤタグと前記薬ＩＤタグの組み合わせが適切か否かの判断は、前記監視により、前記接近状態が所定の時間、継続していることを検知した後に行う請求項２２又は請求項２３又は請求項２４記載の投薬管理方法。
【発明の詳細な説明】
【技術分野】
【０００１】
本発明は、通信機能付きタグを利用して認証を行う認証装置および認証システムおよび認証方法および投薬管理システムおよび投薬管理方法に関するものである。
【背景技術】
【０００２】
認証システムを利用した投薬管理システムとして、例えば、特許文献１に示すようなものが提案されている。図７に示されるように、その提案の投薬管理システム５０は、患者ＲＦ（Radio-Frequency）タグ５１と、薬ＲＦタグ５２と、ハンディ端末５３とを有している。
【０００３】
患者ＲＦタグ５１は、患者が身に付けるリストバンド５４に設けられている。患者ＲＦタグ５１は、記憶部（図示せず）を有し、当該記憶部には、患者固有の識別情報が登録される。患者ＲＦタグ５１は、所謂、パッシブ型ＲＦタグであり、後述する読み取り部が近付くと、前記識別情報を無線送信する。
【０００４】
薬ＲＦタグ５２は、薬袋５５や薬容器などに貼付される薬ラベル５６に設けられている。薬ＲＦタグ５２に備えられている記憶部（図示せず）には、投薬対象の患者の識別情報が登録される。薬ＲＦタグ５２も、患者ＲＦタグ５１と同様のパッシブ型ＲＦタグであり、後述する読み取り部が近付くと、記憶部に登録されている識別情報を無線送信する。
【０００５】
ハンディ端末５３は、携帯することが容易な小型なものである。このハンディ端末５３は、読み取り部５７を備えている。読み取り部５７は、接近した患者ＲＦタグ５１や薬ＲＦタグ５２から識別情報を読み取る構成を有している。ハンディ端末５３は、そのように患者ＲＦタグ５１から読み取った識別情報と、薬ＲＦタグ５２から読み取った識別情報とを照合し、一致しているか否かを判断し、その照合の結果に応じた音をスピーカ５８から発する。
【０００６】
この投薬管理システム５０では、例えば、看護士や医者等の医療従事者が、患者のリストバンド５４の患者ＲＦタグ５１にハンディ端末５３を近付けて、ハンディ端末５３に患者ＲＦタグ５１の識別情報を読み取らせる。また、医療従事者は、同ハンディ端末５３を、上記患者に投与予定の薬が入っている薬袋５５の薬ＲＦタグ５２に近付けて、当該薬ＲＦタグ５２の識別情報を読み取らせる。そして、医療従事者は、ハンディ端末５３に、上記読み取った患者ＲＦタグ５１の識別情報と薬ＲＦタグ５２の識別情報とを照合させる。この照合の結果、患者ＲＦタグ５１の識別情報と、薬ＲＦタグ５２の識別情報とが一致したときには、一致したこと（つまり、照合許可）を知らせる音がハンディ端末５３のスピーカ５８から発せられる。そして、患者に薬が投与される。
【０００７】
これに対して、照合の結果、患者ＲＦタグ５１の識別情報と、薬ＲＦタグ５２の識別情報とが不一致だったときには、不一致を知らせる音（警告音）がハンディ端末５３のスピーカ５８から発せられる。これにより、医療従事者は、患者と薬が一致していないことに気付くことができ、このため、患者への誤った投薬が回避されることとなる。
【先行技術文献】
【特許文献】
【０００８】
【特許文献１】特開２００２−１０９０７０号公報
【特許文献２】特開２００６−１２６９３０号公報
【特許文献３】特開２００７−７３０７４号公報
【特許文献４】特許第３９６７１５１号公報
【発明の概要】
【発明が解決しようとする課題】
【０００９】
投薬管理システム５０では、上記のように、患者と薬の組み合わせが適切か否かを判断する認証作業を行っている。このような組み合わせの認証を行う投薬管理システム５０では、認証する患者と薬のそれぞれを選択する作業は、手作業である。つまり、投薬管理システム５０では、医療従事者が、認証対象の患者ＲＦタグ５１と、薬ＲＦタグ５２とのそれぞれにハンディ端末５３を近付けなければならない。このために、認証作業が面倒であるという問題がある。
【００１０】
本発明は上記課題を解決するために成されたものであり、その目的は、或物と或物との組み合わせが適切か否かを判断する組み合わせ認証の全自動化を図ることができる認証装置および認証システムおよび認証方法および投薬管理システムおよび投薬管理方法を提供することにある。
【課題を解決するための手段】
【００１１】
本発明の認証装置は、
所定の監視領域内の通信機能付きＩＤ(identification)タグが保有している識別情報を前記ＩＤタグから通信によって自動取得する識別情報自動取得部と、
前記監視領域内において所定の状態に接近した前記ＩＤタグ同士が有ることを検知する組み合わせＩＤタグ検知部と、
前記自動取得された前記識別情報に基づき、前記接近した前記ＩＤタグ同士の組み合わせが適切か否かを判断する組み合わせ確認部と、
を備える。
【００１２】
本発明の認証システムは、
識別情報を保有する通信機能付きＩＤタグと、
所定の監視領域内の前記ＩＤタグから通信によって前記識別情報を自動取得する識別情報自動取得部と、
前記監視領域内において所定の状態に接近した前記ＩＤタグ同士が有ることを検知する組み合わせＩＤタグ検知部と、
前記自動取得された前記識別情報に基づき、前記接近した前記ＩＤタグ同士の組み合わせが適切か否かを判断する組み合わせ確認部と、
を備える。
【００１３】
本発明の認証方法は、
所定の監視領域内の通信機能付きＩＤタグが保有している識別情報を前記ＩＤタグから通信によって自動取得し、
前記監視領域内において所定の状態に接近した前記ＩＤタグ同士が有るか否かを監視し、
接近した前記ＩＤタグ同士が有ることを検知した場合には、前記自動取得された識別情報に基づき、前記接近した前記ＩＤタグの組み合わせが適切か否かを判断する。
【００１４】
本発明の投薬管理システムは、
患者の識別情報を保有する通信機能付き患者ＩＤタグと、
薬の識別情報を保有する通信機能付き薬ＩＤタグと、
所定の監視領域内の前記患者ＩＤタグおよび前記薬ＩＤタグから通信によって前記識別情報を自動取得する識別情報自動取得部と、
前記監視領域内において所定の状態に接近した前記患者ＩＤタグと前記薬ＩＤタグが有ることを検知する組み合わせＩＤタグ検知部と、
前記自動取得された識別情報に基づき、前記接近した前記患者ＩＤタグと前記薬ＩＤタグの組み合わせが適切か否かを判断する組み合わせ確認部と、
を備えている。
【００１５】
本発明の投薬管理方法は、
所定の監視領域内における通信機能付き患者ＩＤタグが保有する患者の識別情報、および、前記監視領域内における通信機能付き薬ＩＤタグが保有する薬の識別情報を、通信によって自動取得し、
前記監視領域内において所定の状態に接近した前記患者ＩＤタグと前記薬ＩＤタグが有るか否かを監視し、
接近した前記患者ＩＤタグと前記薬ＩＤタグが有ることを検知した場合には、前記自動取得された識別情報に基づき、前記接近した前記患者ＩＤタグと前記薬ＩＤタグの組み合わせが適切か否かを判断する。
【発明の効果】
【００１６】
この発明によれば、組み合わせが適切か否かを判断する組み合わせ認証の全自動化を図ることができる。
【図面の簡単な説明】
【００１７】
【図１】第１実施形態を説明するための図である。
【図２】第２実施形態を説明するための図である。
【図３】第３実施形態を説明するための図である。
【図４】第３実施形態の投薬管理システムの動作例を説明するためのフローチャートである。
【図５】ＩＤタグの位置検出に関するその他の形態例を説明するための図である。
【図６】その他の実施形態を説明するための図である。
【図７】特許文献１に示されている投薬管理システムを説明するための図である。
【発明を実施するための形態】
【００１８】
以下に、本発明に係る実施形態を図面に基づいて説明する。
【００１９】
（第１実施形態）
図１（ａ）には、第１実施形態の認証システムの構成が示されている。第１実施形態の認証システム１は、ＩＤ(identification)タグ２と、識別情報自動取得部３と、組み合わせＩＤタグ検知部４と、組み合わせ確認部５とを有して構成されている。ＩＤタグ２は、識別情報を保有する通信機能付きのタグである。識別情報自動取得部３は、所定の監視領域Ｚに位置しているＩＤタグ２から当該ＩＤタグ２の識別情報を通信によって自動取得する機能を備えている。組み合わせＩＤタグ検知部４は、監視領域Ｚにおいて、所定の状態に接近したＩＤタグ２（２ａ，２ｂ）同士が有ることを検知する機能を備えている。組み合わせ確認部５は、前記自動取得された識別情報に基づき、接近したＩＤタグ２（２ａ，２ｂ）の組み合わせが適切か否かを判断する機能を備えている。
【００２０】
この認証システム１は、図１（ｂ）に示すような、識別情報自動取得部３および組み合わせＩＤタグ検知部４および組み合わせ確認部５を有する認証装置６を用いて構成することができる。
【００２１】
この認証システム１では、識別情報自動取得部３が、所定の監視領域Ｚに位置しているＩＤタグ２から当該ＩＤタグ２の識別情報を自動取得する（図１（ｃ）におけるステップＳ１０１参照）。組み合わせＩＤタグ検知部４は、接近したＩＤタグ２同士が有るか否かを監視する。そして、組み合わせＩＤタグ検知部４が、接近したＩＤタグ２（２ａ，２ｂ）が有ることを検知したとする（ステップＳ１０２）。この場合には、組み合わせ確認部５は、それら接近したＩＤタグ２（２ａ，２ｂ）の自動取得された識別情報に基づき、ＩＤタグ２（２ａ，２ｂ）の組み合わせが適切か否かを判断する（ステップＳ１０３）。
【００２２】
この認証システム１では、ＩＤタグ２からの識別情報の取得も、組み合わせ認証が必要なＩＤタグ２（２ａ，２ｂ）の選択も、もちろん、それら選択したＩＤタグ２（２ａ，２ｂ）の組み合わせの確認（認証）も、自動的に行われる。このため、前記ＩＤタグ２の組み合わせが適切か否かを判断する組み合わせ認証の全自動化を図ることができる。
【００２３】
（第２実施形態）
図２（ａ）には第２実施形態の投薬管理システム１０が示されている。この第２実施形態の投薬管理システム１０は、第１実施形態の認証システム１を投薬管理に応用したものである。すなわち、投薬管理システム１０は、患者ＩＤタグ１１と、薬ＩＤタグ１２と、識別情報自動取得部１３と、組み合わせＩＤタグ検知部１４と、組み合わせ確認部１５とを有して構成されている。
【００２４】
患者ＩＤタグ１１は、患者１６の識別情報を保有する通信機能付きタグである。薬ＩＤタグ１２は、薬１７の識別情報を保有する通信機能付きタグである。識別情報自動取得部１３は、所定の監視領域Ｚに位置する患者ＩＤタグ１１および薬ＩＤタグ１２から、それぞれ、当該患者ＩＤタグ１１および薬ＩＤタグ１２が保有する各識別情報を通信によって自動取得する機能を有する。
【００２５】
例えば、監視領域Ｚにおいて、医療従事者が投薬すべく患者１６に薬１７を持って近付き、これにより、患者ＩＤタグ１１と薬ＩＤタグ１２が所定の状態に接近したとする。組み合わせＩＤタグ検知部１４は、そのような患者ＩＤタグ１１と薬ＩＤタグ１２の接近を検知する機能を備えている。組み合わせ確認部１５は、識別情報自動取得部１３によって自動取得された識別情報と、組み合わせＩＤタグ検知部１４の検知情報とに基づき、接近した患者ＩＤタグ１１と薬ＩＤタグ１２の組み合わせが適切か否かを判断する機能を備えている。
【００２６】
この投薬管理システム１０では、識別情報自動取得部１３は、監視領域Ｚにおける患者ＩＤタグ１１、薬ＩＤタグ１２から当該患者ＩＤタグ１１、薬ＩＤタグ１２が保有する識別情報を通信によって自動取得する（図２（ｂ）におけるステップＳ２０１参照）。
【００２７】
組み合わせＩＤタグ検知部１４は、監視領域Ｚにおいて所定の状態に接近した患者ＩＤタグ１１と薬ＩＤタグ１２が有るか否かを監視する。そして、組み合わせＩＤタグ検知部１４が、接近した患者ＩＤタグ１１と薬ＩＤタグ１２が有ることを検知したとする（ステップＳ２０２）。この場合には、組み合わせ確認部１５が、自動取得された識別情報に基づき、接近した患者ＩＤタグ１１と薬ＩＤタグ１２の組み合わせが適切か否かを判断する（ステップＳ２０３）。
【００２８】
この投薬管理システム１０では、患者ＩＤタグ１１および薬ＩＤタグ１２からの識別情報の取得は自動的に行われる。その上、組み合わせ確認が必要な患者ＩＤタグ１１（つまり、患者１６）と、薬ＩＤタグ１２（つまり、薬１７）とを選択する作業も自動的に行われる。さらに、その患者１６と薬１７の組み合わせが適切か否かの判断も自動的に行われる。すなわち、この第２実施形態の投薬管理システム１０では、患者と薬の組み合わせが適切か否かを判断する組み合わせ認証の全自動化が図られている。
【００２９】
（第３実施形態）
第３実施形態の投薬管理システムは、第２実施形態の投薬管理システムを基本に持つものである。当該第３実施形態の投薬管理システムでは、図３（ａ）に示されるような監視領域である病室３６において、投薬対象の患者と、薬との組み合わせが適切か否かを判断する組み合わせ認証の全自動化が図られている。すなわち、この第３実施形態の投薬管理システム２０は、患者ＩＤタグ２１と、薬ＩＤタグ２２と、認証装置２３と、記憶装置（記憶部）２４と、タグリーダ２５と、報知部２６とを有して構成されている。
【００３０】
患者ＩＤタグ２１は、患者固有の識別情報を保有するアクティブ型ＲＦタグである。アクティブ型ＲＦタグは、電源を内蔵しているために、例えば数メートルから数十メートル程度の距離の通信が可能という如く、電源を内蔵していないパッシブ型ＲＦタグに比べて、通信能力が高いものである。この第３実施形態では、患者ＩＤタグ２１は、患者が身につける物（例えばリストバンドなど）に設けられている。
【００３１】
薬ＩＤタグ２２は、薬の識別情報を保有しているアクティブ型ＲＦタグである。当該薬ＩＤタグ２２は、例えば投与対象の薬を収容した容器等に設けられている。
【００３２】
なお、この第３実施形態では、患者や薬の識別情報である例えば６桁の番号の先頭の数字によって患者と薬を区別するというように、識別情報には、当該識別情報が患者のものか薬のものかを判別させるための情報が含まれている。
【００３３】
タグリーダ２５は、監視対象の病室３６に位置している患者ＩＤタグ２１や薬ＩＤタグ２２から無線送信された識別情報を受信する機能を備えている。この第３実施形態では、病室３６に、複数のタグリーダ２５（２５Ａ，２５Ｂ）が互いに所定の間隔を離して設置されている。それらタグリーダ２５Ａ，２５Ｂは、両方共に、病室３６に位置している患者ＩＤタグ２１や薬ＩＤタグ２２から無線送信された識別情報を受信できるものである。換言すれば、病室３６に位置している患者ＩＤタグ２１や薬ＩＤタグ２２から無線送信された識別情報は、タグリーダ２５Ａ，２５Ｂの両方で受信される。
【００３４】
報知部２６は、認証装置２３から出力される指令に従って報知動作を行う機能を備えている。この報知部２６は、聴覚的、又は、視覚的、又は、聴覚及び視覚的に、認証装置２３の指令に応じた内容を報知できる構成を備えているものである。当該報知部２６の例を挙げると、例えば、報知ブザーや、報知ランプや、液晶画面装置や、スピーカーや、そのようなものを組み合わせたもの等がある。なお、報知部２６は、認証装置２３の付属品である場合もある。
【００３５】
記憶装置２４は、例えば、ＬＡＮ（Local-Area-Network）等の情報通信網を介して認証装置２３に接続されている。当該記憶装置２４には、投薬対象の患者と薬との適切な組み合わせの情報が、患者の識別情報と薬の識別情報との組み合わせでもって格納されている。さらに、記憶装置２４には、患者の識別情報に関連付けられて当該患者の投薬履歴ファイルが格納されている。
【００３６】
認証装置２３は、図３（ｂ）に示されるように、識別情報自動取得部３０と、組み合わせ確認部３１と、報知制御部３２と、組み合わせＩＤタグ検知部３３と、投薬履歴書き込み部（認証結果履歴書き込み部）３４とを有して構成されている。
【００３７】
識別情報自動取得部３０は、タグリーダ２５（２５Ａ，２５Ｂ）で受信された識別情報を、例えば、所定のサンプリング時間間隔毎（例えば１秒毎）に自動的に取得する。
【００３８】
組み合わせＩＤタグ検知部３３は、所定の監視領域である病室３６に位置している患者ＩＤタグ２１および薬ＩＤタグ２２の位置を検出する機能を備えている。ＩＤタグの位置を検出する手法には様々な手法があり、何れの手法を採用してもよいが、ここでは、組み合わせＩＤタグ検知部３３は、識別情報の受信強度を利用してＩＤタグの位置を検出する。例えば、組み合わせＩＤタグ検知部３３は、識別情報自動取得部３０により自動取得された識別情報を取り込んで当該識別情報の受信強度を検出する。組み合わせＩＤタグ検知部３３には、識別情報の受信強度とタグリーダからの距離との関係データ、および、各タグリーダ２５Ａ，２５Ｂの位置情報が予め与えられている。組み合わせＩＤタグ検知部３３は、検出した識別情報の受信強度と、上記関係データおよび位置情報とに基づき、三辺測量手法を応用してＩＤタグの位置を検出する。
【００３９】
組み合わせＩＤタグ検知部３３は、さらに、次のような機能をも備えている。つまり、組み合わせＩＤタグ検知部３３は、上記のように検出したＩＤタグの位置情報に基づき、病室３６に位置している全ての患者ＩＤタグ２１と薬ＩＤタグ２２との間の距離（タグ間距離）を算出する。そして、組み合わせＩＤタグ検知部３３は、その算出したタグ間距離と、所定の距離（しきい値Ｐs（例えば、５０cm））とを比較する。そのしきい値Ｐsは、薬が投薬のために患者に接近したか否かを判断するための値である。
【００４０】
組み合わせＩＤタグ検知部３３は、タグ間距離としきい値Ｐsとの比較の結果、しきい値Ｐs以下のタグ間距離があることを検知した場合には、接近した患者ＩＤタグ２１と薬ＩＤタグ２２が有ると判断する。すなわち、組み合わせＩＤタグ検知部３３は、所定の距離以下に接近した患者ＩＤタグ２１と薬ＩＤタグ２２が有ることを検出する機能を備えている。
【００４１】
さらに、組み合わせＩＤタグ検知部３３は、そのように、接近した患者ＩＤタグ２１と薬ＩＤタグ２２が有ることを検知した場合には、その旨を知らせる信号（認証開始信号）を組み合わせ確認部３１に向けて出力する機能を備えている。この信号出力のときに、組み合わせＩＤタグ検知部３３は、その認証開始信号と共に、接近が検出された患者ＩＤタグ２１と薬ＩＤタグ２２の自動取得された各識別情報をも組み合わせ確認部３１に向けて出力する。
【００４２】
組み合わせ確認部３１は、認証開始信号を受けると、その認証開始信号と共に送信されてきた患者の識別情報と、薬の識別情報とに基づいて、記憶装置２４から、投薬対象の患者と薬との適切な組み合わせの情報（照合用情報）を読み出す。さらに、組み合わせ確認部３１は、組み合わせＩＤタグ検知部３３から送信されてきた患者の識別情報と薬の識別情報との組み合わせ（認証対象組み合わせ）を、記憶装置２４の照合用情報に照合する。そして、組み合わせ確認部３１は、認証対象組み合わせと、記憶装置２４の照合用情報とが一致するか否かを判断する。つまり、組み合わせ確認部３１は、接近した患者ＩＤタグ２１と薬ＩＤタグ２２との組み合わせ（患者と薬の組み合わせ）が適切か否かを判断する。さらに、組み合わせ確認部３１は、組み合わせが適切と判断したときには、投薬許可信号を報知制御部３２に出力する。それと共に、組み合わせ確認部３１は、組み合わせが適切と判断された患者の識別情報および薬の識別情報を投薬許可信号と共に投薬履歴書き込み部３４に向けて出力する。また、組み合わせ確認部３１は、組み合わせが不適切であると判断したときには、投薬不許可信号を報知制御部３２に出力する。
【００４３】
報知制御部３２は、投薬許可信号が加えられた場合には、投薬許可を知らせるための所定の報知動作を行わせるべく報知部２６を制御する。また、報知制御部３２は、投薬不許可信号が加えられた場合には、投薬対象の患者あるいは薬が誤っていることを警告するための所定の報知動作を行わせるべく報知部２６を制御する。これにより、報知部２６から警告が発せられることによって、誤った投薬が行われるという重大な医療ミスの防止が可能である。
【００４４】
投薬履歴書き込み部３４は、投薬許可信号、および、患者の識別情報と薬の識別情報が加えられた場合に、その患者の識別情報に関連付けられている記憶装置２４の投薬履歴ファイルに、薬の識別情報に基づいた薬の投与の記録を書き込む。
【００４５】
この投薬管理システム２０は上記のように構成されている。この投薬管理システム２０の動作例を図４のフローチャートに基づいて説明する。
【００４６】
この投薬管理システム２０では、認証装置２３の識別情報自動取得部３０は、予め定められたサンプリング時間間隔毎に、病室３６に位置している全ての患者ＩＤタグ２１や薬ＩＤタグ２２から識別情報を自動取得する（ステップＳ３０１）。
【００４７】
この第３実施形態では、識別情報には、当該識別情報が患者のものであるか薬のものであるかを示す情報が含まれている。このことから、組み合わせＩＤタグ検知部３３は、識別情報が自動取得される度に、自動取得された識別情報に基づいて病室３６に患者と薬の両方が有るか否かを判断する（ステップＳ３０２）。そして、組み合わせＩＤタグ検知部３３は、病室３６に患者又は薬が無いと判断したときには、患者と薬の組み合わせ認証をする必要が無い（組み合わせ認証ができない）ことから、次の識別情報の自動取得に備える（休止状態になる）。
【００４８】
然る後に、図３（ａ）に示されるように患者３７が居る病室３６に、医療従事者が薬３８を持ち込んだとする。この場合には、識別情報自動取得部３０により、患者ＩＤタグ２１の識別情報に加えて薬ＩＤタグ２２の識別情報も自動取得される。ところで、図３（ａ）の例では、病室３６には、複数の患者３７が居る。このために、識別情報を自動取得しただけでは、病室３６に持ち込まれた薬３８がどの患者３７に投与されようとしているか分からない。つまり、どの患者３７と薬３８との組み合わせ認証を行ってよいか分からない。そこで、この投薬管理システム２０では、次のような動作を行う。
【００４９】
すなわち、組み合わせＩＤタグ検知部３３は、患者ＩＤタグ２１と薬ＩＤタグ２２（患者と薬）の両方が病室３６に有ると判断すると、病室３６の全ての患者ＩＤタグ２１および薬ＩＤタグ２２の位置を検出する（図４のステップＳ３０３）。
【００５０】
そして、組み合わせＩＤタグ検知部３３は、それら検出した位置情報に基づいて、病室３６の全ての患者ＩＤタグ２１と薬ＩＤタグ２２との間の距離（タグ間距離）を算出する（ステップＳ３０４）。その後、組み合わせＩＤタグ検知部３３は、算出した全てのタグ間距離を、それぞれ、所定のしきい値Ｐsに比較し、タグ間距離がしきい値Ｐs以下か否かを判断する。さらに、組み合わせＩＤタグ検知部３３は、病室３６に、しきい値Ｐs以下のタグ間距離が有るか否かを判断する（ステップＳ３０５）。換言すれば、組み合わせＩＤタグ検知部３３は、投与できる程度に接近した薬３８と患者３７の組み合わせが有るか否かを判断する。投与できる程度に接近した薬３８と患者３７の組み合わせが無い場合には、薬３８がどの患者３７に投与されようとしているか不明である。このため、組み合わせＩＤタグ検知部３３は、休止状態になり、次の識別情報の自動取得に備える。
【００５１】
これに対して、例えば、医療従事者が薬３８を投与対象の患者３７（３７Ａ）の傍に運び、これにより、図３（ａ）の点線に示されるように、薬ＩＤタグ２２が患者ＩＤタグ２１（２１Ａ）に接近したとする。この場合、薬３８の患者３７Ａへの接近を検知することによって、薬３８の投与対象の患者３７（つまり、患者３７Ａ）を特定できる。このことから、組み合わせＩＤタグ検知部３３は、しきい値Ｐs以下のタグ間距離が有る、つまり、投与できる程度に接近した薬３８と患者３７の組み合わせが有ると判断したときには、認証開始信号を組み合わせ確認部３１に出力する。それと共に、組み合わせＩＤタグ検知部３３は、しきい値Ｐs以下の距離に接近している患者３７Ａの識別情報と薬３８の識別情報を組み合わせ確認部３１に出力する。これにより、組み合わせ確認部３１の認証動作が開始される。
【００５２】
すなわち、組み合わせ確認部３１は、認証開始信号を受け取ると、それと共に受信した患者３７Ａの識別情報や薬３８の識別情報に基づいて、記憶装置２４から、患者と薬の適切な組み合わせ情報（照合用情報）を読み出す。そして、組み合わせ確認部３１は、受信した識別情報の組み合わせ（認証対象組み合わせ）と、記憶装置２４の照合用情報とを照合し、認証対象組み合わせ（患者３７Ａと薬３８の組み合わせ）が適切か否かを判断する（ステップＳ３０６）。
【００５３】
そして、組み合わせ確認部３１は、認証対象組み合わせが適切であると判断したときには、投薬許可信号を報知制御部３２に出力する。それと共に、組み合わせ確認部３１は、投薬許可信号、および、患者３７Ａの識別情報と薬３８の識別情報を投薬履歴書き込み部３４に出力する。
【００５４】
報知制御部３２は、投薬許可信号を受け当該投薬許可信号に応じて報知部２６を制御し、これにより、報知部２６は、投薬許可を知らせる報知動作を行う。投薬履歴書き込み部３４は、投薬許可信号を受けると、加えられた患者３７Ａの識別情報に関連付けられている記憶装置２４の投薬履歴ファイルに、加えられた薬の識別情報に基づいた薬の投薬の履歴を書き込む（ステップＳ３０７）。
【００５５】
これに対して、組み合わせ確認部３１は、組み合わせが不適切であると判断したときには、投薬不許可信号を報知制御部３２に出力する。報知制御部３２は、投薬不許可信号を受け当該投薬不許可信号に応じた報知部２６の制御を行う。これにより、報知部２６は、投薬が誤っている旨を警告する報知動作を行う（ステップＳ３０８）。これにより、投薬を行おうとしていた医療従事者や、患者に、投薬が不適切であることを知らせることができる。このため、誤った投薬が行われることが防止される。
【００５６】
なお、報知部２６が、認証対象組み合わせの適切・不適切判断の結果を報知する際に、その判断結果を報知するだけでなく、識別情報に基づいた認証対象患者の氏名等をも音声や文字表示でもって報知してもよい。この場合には、次のような効果を得ることができる。例えば、病室３６で、複数の患者に対する投薬がほぼ同時に行われようとしている場合には、認証対象の患者と薬の組み合わせが病室３６内に複数存在している状態となり、それぞれ、組み合わせ認証が行われることとなる。このような場合に、認証結果だけでなく、認証対象の患者の氏名等をも報知することによって、どの患者と薬の組み合わせに対する認証結果であるかが明確となる。これにより、医療従事者等に認証結果を円滑且つ正確に伝えることができる。このために、認証結果が誤って伝えられて、投薬作業に支障を来す事態の発生を防止できる。
【００５７】
この投薬管理システム２０は上記のような構成を有しているので、次のような効果を得ることができる。すなわち、この投薬管理システム２０では、患者ＩＤタグ２１や薬ＩＤタグ２２として、アクティブ型ＲＦタグを利用している。アクティブ型ＲＦタグは、例えば数メートル〜数十メートルというような距離の通信が可能なものである。このため、患者ＩＤタグ２１や薬ＩＤタグ２２をタグリーダ２５に近付けなくとも患者ＩＤタグ２１や薬ＩＤタグ２２から識別情報を取得できる。換言すれば、病室３６における患者ＩＤタグ２１や薬ＩＤタグ２２の識別情報の自動取得が可能である。
【００５８】
上記のようにアクティブ型ＲＦタグを利用すると、病室３６の全ての患者ＩＤタグ２１や薬ＩＤタグ２２の識別情報がタグリーダ２５を介して取得される。このため、病室３６に、複数の患者や、複数の薬がある場合には、識別情報を取得しただけでは、何れの患者と薬の組み合わせについて組み合わせ認証を行ってよいかが不明である。これに対して、この投薬管理システム２０では、患者（患者ＩＤタグ２１）と薬（薬ＩＤタグ２２）の位置関係を利用して、組み合わせ認証を行う患者と薬の組み合わせを自動選択している。そして、その自動選択された患者と薬の組み合わせが適切か否かを自動的に判断している。
【００５９】
すなわち、この第３実施形態の投薬管理システム２０では、識別情報の取得から、当該取得した識別情報に基づいた組み合わせ認証を行うまでの組み合わせ認証工程の全てを自動化できている。
【００６０】
このように、薬と患者の組み合わせ認証の全自動化が図られていることによって、薬と患者の組み合わせ認証のための医療従事者の手間が無くなる。
【００６１】
また、医療従事者の手作業によって薬や患者の識別情報を読み込んで薬と患者の組み合わせ認証を行う場合には、医療従事者が認証を忘れてしまう事態が想定される。これに対して、この投薬管理システム２０では、上記のように全自動化されているので、そのような認証忘れを回避できる。
【００６２】
（その他の実施形態）
なお、この発明は第１〜第３の各実施形態に限定されるものではなく、様々な実施の形態を採り得るものである。例えば、第３実施形態では、組み合わせＩＤタグ検知部３３は、タグリーダ２５で受信された識別情報の受信強度を利用して、患者ＩＤタグ２１や薬ＩＤタグ２２の位置を検出していた。これに対して、次のようにして患者ＩＤタグ２１や薬ＩＤタグ２２の位置を検出してもよい。例えば、患者ＩＤタグ２１および薬ＩＤタグ２２は、タグリーダ２５に向けて識別情報を送信する通信機能に加えて、その通信よりも弱い送信強度でもって識別情報を送信する機能を備えているとする。つまり、患者ＩＤタグ２１および薬ＩＤタグ２２は、図５（ａ）に示されるように、送信強度が異なる出力強側送信部４０と出力弱側送信部４１と、識別情報が格納されている記憶部４２とを有する。出力強側送信部４０は、タグリーダ２５に向けて識別情報を送信する機能を有する。出力弱側送信部４１は、出力強側送信部４０よりも弱い送信強度でもって識別情報を送信する機能を有する。なお、出力強側送信部４０と出力弱側送信部４１は、送信強度だけでなく、送信の周波数が異なっていてもよい。
【００６３】
さらに、病室３６の床や天井には、図５（ｂ）に示されるように、複数の識別情報感知部４３が互いに間隔を介して例えばマトリックス状に配列配置されているとする。識別情報感知部４３は、患者ＩＤタグ２１や薬ＩＤタグ２２の出力弱側送信部４１から出力された識別情報を受信する機能を備えている。当該識別情報感知部４３は、患者ＩＤタグ２１や薬ＩＤタグ２２の位置検出に利用されるものである。例えば、出力弱側送信部４１からの識別情報は、一つ又は二つの識別情報感知部４３だけで受信されるという如く、出力弱側送信部４１の送信強度と、隣り合う識別情報感知部４３間の間隔とは、関連付けられて設定される。また、隣り合う識別情報感知部４３間の間隔は、前記しきい値Ｐsに基づいたＩＤタグの位置検出精度を考慮して設定される。
【００６４】
上記のような構成を備えている場合には、組み合わせＩＤタグ検知部３３は、例えば、識別情報を受信した識別情報感知部４３の予め与えられた位置情報に基づいて、その識別情報を持つ患者ＩＤタグ２１あるいは薬ＩＤタグ２２の位置を検出する。このようにＩＤタグ２１，２２の位置を検出する場合にも、第３実施形態と同様の効果を得ることができる。
【００６５】
上記のように、患者ＩＤタグ２１あるいは薬ＩＤタグ２２の位置を検出する手法には様々なものがあり、第３実施形態に示した位置検出手法に限定されるものではない。
【００６６】
また、第３実施形態では、患者と薬の接近は、患者と薬の位置を検出し、当該位置情報に基づいて検出していた。これに対して、例えば、患者ＩＤタグ２１と薬ＩＤタグ２２のそれぞれに、接近検出用の電波や超音波等の送信部および受信部を設ける。そして、接近した患者ＩＤタグ２１と薬ＩＤタグ２２が接近検出用の電波や超音波等を互いに送受信できたことを検知することによって、接近した患者ＩＤタグ２１と薬ＩＤタグ２２が有ると検知できる。このように、患者ＩＤタグ２１や薬ＩＤタグ２２の位置を検出せずに、患者ＩＤタグ２１と薬ＩＤタグ２２の接近を検出してもよい。この場合にも、第３実施形態と同様の効果を得ることができる。
【００６７】
さらに、第３実施形態では、病室３６におけるタグリーダ２５の設置数は２個であったが、タグリーダ２５の設置数は、ＩＤタグ２１，２２の接近検出手法（位置検出手法を含む）等を考慮して適宜設定できるものであり、特に限定されるものではない。また、タグリーダ２５の設置位置に関しても適宜設定されるものであり、図示の例に限定されるものではない。
【００６８】
さらに、第３実施形態では、患者ＩＤタグ２１と薬ＩＤタグ２２は、電波を利用して識別情報を送信するものであった。これに対して、例えば、患者ＩＤタグ２１と薬ＩＤタグ２２は、電波以外の例えば光や超音波等を利用して識別情報を送信してもよい。もちろん、タグリーダ２５は、その患者ＩＤタグ２１や薬ＩＤタグ２２から送信される例えば光信号や超音波信号等の識別情報を受信できる機能を持つものとなる。
【００６９】
さらに、第３実施形態では、薬ＩＤタグ２２は、薬の識別情報を保有していたが、例えば、薬ＩＤタグ２２は、薬の識別情報に加えて、当該薬の投与対象の患者の識別情報をも保有していてもよい。この場合には、例えば、薬ＩＤタグ２２から薬の識別情報と投与対象の患者の識別情報を関連付けて自動取得することによって、組み合わせ認証の簡略化を図ることができる。つまり、接近した患者ＩＤタグ２１と薬ＩＤタグ２２が検知された場合に、その患者ＩＤタグ２１から自動取得された識別情報と、薬ＩＤタグ２２から自動取得された投与対象の患者の識別情報とが一致しているか否かを判断する。そして、一致していると判断したときには、薬と患者の組み合わせが適切であると判断する。このように組み合わせ認証を行うことができる。この場合には、患者と薬の組み合わせ（認証対象組み合わせ）が適切か否かを判断する際に、患者ＩＤタグ２１が保有している患者の識別情報と、薬ＩＤタグ２２が保有している投与対象の患者の識別情報とを比較するだけでよい。つまり、自動取得した識別情報と、記憶装置２４の格納情報とを照合しなくて済む。このため、照合に関する工程の簡略化を図ることができる。
【００７０】
さらに、第３実施形態では、接近した患者ＩＤタグ２１と薬ＩＤタグ２２の組み合わせが検出されたときには、直ちに、その組み合わせが適切か否かを判断する組み合わせ認証が行われる。これに対して、例えば、患者ＩＤタグ２１（患者）と薬ＩＤタグ２２（薬）の接近状態が所定の時間（例えば３秒間）継続したことを検知した場合に、その接近している患者と薬の組み合わせ認証を行うようにしてもよい。この場合には、例えば、組み合わせＩＤタグ検知部３３は、患者ＩＤタグ２１と薬ＩＤタグ２２の接近状態を監視し、当該接近状態が所定の時間（識別情報の所定のサンプリング回数）継続したことを検知できる機能をさらに有する。そして、組み合わせＩＤタグ検知部３３は、接近状態が継続していることを検知できたときに、接近している患者ＩＤタグ２１と薬ＩＤタグ２２が有ると判断するようにしてもよい。
【００７１】
上記のように、接近状態の継続を監視する機能を備えることによって、例えば、識別情報の通信異常等に因るＩＤタグ２１，２２の接近の誤検知を防止できる。また、次のような効果も得ることができる。例えば、患者ＩＤタグ２１と薬ＩＤタグ２２の接近は、投薬のためだけでなく、例えば、ただ単にすれ違いの場合もある。単なるすれ違いであるのにも拘わらず、組み合わせ認証が行われ当該認証結果が報知されると、医療従事者等が混乱したり、医療従事者や患者に煩わしいという不快感を与える虞がある。これに対して、単なるすれ違いは接近状態が継続しないことから、上記のような接近状態の継続を監視する機能を備えることによって、上記したような問題を回避できる。
【００７２】
さらに、第３実施形態では、認証装置２３は、一つの病室３６における患者と薬の組み合わせ認証を行う装置であった。これに対して、例えば、図６に示されるように、認証装置４５は、複数の病室３６における患者と薬の組み合わせ認証を行う装置であってもよい。この場合には、例えば、各病室３６毎に、タグリーダ２５および報知部２６が設けられる。認証装置４５は、各病室３６毎に前記同様に患者と薬の組み合わせ認証を行う。このような場合には、認証装置４５は、例えば、各病室３６のタグリーダ２５および報知部２６と情報通信網（ＬＡＮ）を介して接続されていてもよい。また、複数の病室３６を集中管理しているサーバ装置がある場合には、そのサーバ装置が、認証装置４５としても機能してよい。この場合には、各病室３６毎に認証装置を設けなくて済むので、認証装置の設置スペースを確保しなくてよい。なお、図６では、各病室３６には、それぞれ、１個ずつタグリーダ２５が設置されているが、前述したように、各病室３６に設置されるタグリーダ２５の数は適宜設定されるものであり、１個に限定されるものではない。また、タグリーダ２５の設置位置に関しても適宜設定されるものであり、図示の例に限定されるものではない。
【００７３】
さらに、第３実施形態では、認証装置２３に、投薬履歴書き込み部３４が設けられており、認証装置２３が記憶装置２４の投薬履歴ファイルに投薬履歴を書き込んでいた。これに対して、例えば、認証装置２３とは別体のサーバ装置が設けられている場合に、認証装置２３に代えて、そのサーバ装置に投薬履歴書き込み部３４を設け、サーバ装置が記憶装置２４の投薬履歴ファイルに書き込んでもよい。さらにまた、投薬管理システムから、投薬履歴書き込みの機能を省略してもよい。この場合には、投薬管理システムの簡略化を図ることができる。
【００７４】
さらに、第３実施形態に加えて、次のような構成を備えていてもよい。例えば、複数の患者３７が接近しているところに、薬３８が接近することがあると想定される。この場合には、複数の患者３７に薬３８が接近するので、しきい値Ｐs以下のタグ間距離が複数検出される。この場合には、薬３８が誤った患者３７に投与される虞があることから、組み合わせ確認部３１は、投薬不許可信号を出力する。これにより、報知部２６から警告が発せられる。
【００７５】
さらに、本発明の認証システムは、投薬管理に関する認証だけでなく、他の組み合わせ認証にも適用することができる。例えば、列車や飛行機等の乗り物や、映画館等の予約席と、その予約者との組み合わせ認証にも適用することができる。
【００７６】
さらに、本発明の認証システムは、２つのＩＤタグの組み合わせの認証だけでなく、３つ以上のＩＤタグの組み合わせ認証にも適用することができる。例えば、客からの注文に応じて、複数種の商品を一箱に梱包して出荷する場合にも適用できる。すなわち、梱包用の箱には、客の宛先を記した送付用ラベルが貼付され、その送付用ラベルには、客の識別情報を保有するＩＤタグが設けられる。また、各商品には、それぞれ、種類に応じた識別情報を保有するＩＤタグが設けられる。そして、客の注文に応じた複数種の商品が揃えられて、梱包用の箱に詰められたときに、送付用ラベルのＩＤタグと、複数の商品のＩＤタグとが接近する。この３つ以上のＩＤタグの接近が検出されたときに、それらＩＤタグが保有する識別情報の組み合わせを、予め与えられている適切な組み合わせの情報に照合して、組み合わせが適切か否かを判断してもよい。この場合には、商品の組み合わせだけでなく、それら商品と、送付先との組み合わせの認証をも行うことができる。
【００７７】
上記のように、本発明の認証システムは様々な分野で用いることができる。
【符号の説明】
【００７８】
１  認証システム
２  ＩＤタグ
３，１３，３０  識別情報自動取得部
４，１４，３３  組み合わせＩＤタグ検知部
５，１５，３１  組み合わせ確認部
６，２３，４５  認証装置
１０，２０  投薬管理システム
１１，２１  患者ＩＤタグ
１２，２２  薬ＩＤタグ
２４  記憶装置
２５  タグリーダ
２６  報知部
３４  投薬履歴書き込み部
４０  出力強側送信部
４１  出力弱側送信部
４３  識別情報感知部
【図１】
2010204872.tif 000003
【図２】
2010204872.tif 000004
【図３】
2010204872.tif 000005
【図４】
2010204872.tif 000006
【図５】
2010204872.tif 000007
【図６】
2010204872.tif 000008
【図７】
2010204872.tif 000009